(57)【要約】 【課題】  限られた大きさの照準望遠鏡であっても高い高倍率にできる新規な変倍照準望遠鏡を提供するものである。【解決手段】  鏡筒本体内１に正立内筒５を設け、この正立内筒５に形成した光軸に平行する直線長孔７に移動ビス８の案内によって直線的に前後移動する変倍正立レンズ系４を設け、正立内筒５の外側に正立内筒５に対して回動する変倍カム筒を設け９、この変倍カム筒９に上記直線長孔７に対して交叉する方向の斜めカム長孔１０を設け、この斜めカム長孔１０内に上記移動ビス８を挿入し、照準望遠鏡内に組み込んだ巻バネ１４の弾力により上記変倍カム筒９を回動し、斜めカム長孔１０の移動ビスに対する作用により変倍正立レンズ系４を低倍率の前位置から高倍率の後位置まで直線的に移動するようにしたことを特徴とするものである。【選択図】  図２
2012203155.tif 000002
【特許請求の範囲】
【請求項１】
鏡筒本体内に正立内筒を設け、この正立内筒に形成した光軸に平行する直線長孔に移動ビスの案内によって直線的に前後移動する変倍正立レンズ系を設け、正立内筒の外側に正立内筒に対して回動する変倍カム筒を設け、この変倍カム筒に上記直線長孔に対して交叉する方向の斜めカム長孔を設け、この斜めカム長孔内に上記移動ビスを挿入し、照準望遠鏡内に組み込んだ巻バネの弾力により上記変倍カム筒を回動し、斜めカム長孔の移動ビスに対する作用により変倍正立レンズ系を低倍率の前位置から高倍率の後位置まで直線的に移動するようにしたことを特徴とする変倍照準望遠鏡。
【請求項２】
鏡筒本体に接眼ツナキ部材を固設し、この接眼ツナギ部材の外側に変倍リングを回動可能に設け、この変倍リングと接眼ツナギ部材との間に巻バネを設け、接眼ツナギ部材に変倍カム筒の回動範囲を決定する長孔を形成し、変倍リングに内向きの変倍ビスを設け、この変倍ビスを該長孔を貫通させて変倍ビスの先端を変倍カム筒に形成した係合孔に係合し、巻バネの弾力により変倍リングを上記変倍ビスが長孔内で移動する範囲内で回動することを特徴とする上記請求項１に記載の変倍照準望遠鏡。
【請求項３】
上記接眼ツナギ部材にバネ弾力により突出性向を付与した変倍ピンを設ける一方、変倍リングに該変倍ピンを受け入れる係合受けを設け、変倍ボタンの押し作用により変倍ピンと係合受けとの係合を解除し、変倍リングの回動を起動するようにしたことを特徴とする上記請求項１又は２に記載の変倍照準望遠鏡。
【請求項４】
上記低倍率が１．２５倍であり、高倍率が１０倍である上記請求項１乃至３の何れかに記載の変倍照準望遠鏡。
【発明の詳細な説明】
【技術分野】
【０００１】
本発明は、銃に装着して使用する変倍照準望遠鏡に関する。
【背景技術】
【０００２】
照準望遠鏡において、高倍率の狭い視野にしてターゲットを見つけることは困難である。一方、低倍率の広い視野にしておけば、ターゲットを見つけるのは容易である。銃にてターゲットを射撃する場合、ズームレンズを高倍率にして射撃することが命中率を高める上で好ましい。しかし、ズームレンズを高倍率にしてターゲットを見つけることは困難である。そこで、ズームレンズをターゲットが見つけ易い低倍率にした状態でターゲットを見付け出し、ターゲットを見付け出した状態で瞬時に高倍率に変倍して射撃することができれば好都合である。
【０００３】
このように低倍率の広い視野と高倍率の狭い視野とを間単に切替える変倍装置は公知である（例えば特許文献１）。
【０００４】
しかしながら、特許文献１の従来技術は、対物レンズと結像レンズとの間に変倍レンズを設け、その変倍レンズをレンズホルダに保持し、そのレンズホルダをアームに取り付け、そのアームを駆動手段により旋回可能とし、駆動手段によりレンズホルダをガイドレール上で光軸に沿った方向に進退可能に移動させる構成としてある。
【０００５】
即ち、レンズ系とは別に駆動手段を設けなければならないという課題がある。
【０００６】
この課題に鑑み、出願人は、照準望遠鏡内部にズームレンズを内臓し、同じく照準望遠鏡内に巻バネを内臓し、この巻バネの弾力によりズームレンズを作動する変倍装置を開発し提案した（例えば特許文献２）。
【先行技術文献】
【特許文献】
【０００７】
【特許文献１】特開２００８−２５６７８２号公報
【特許文献２】特開２０１０−２４９８９５号公報
【発明の概要】
【発明が解決しようとする課題】
【０００８】
上記特許文献１では、上記した通りレンズ系とは別に駆動手段を設けなければならないという課題がある。
【０００９】
また、上記特許文献２では照準望遠鏡の限られた大きさの中にズームレンズを内臓させるため、高い高倍率にできる照準望遠鏡を得ることはなかなか困難であるという課題がある。
【００１０】
本発明は、上記特許文献１のように別に駆動手段を設けることなく、特許文献２のように照準望遠鏡内に巻バネを内蔵し、限られた大きさの照準望遠鏡であっても高い高倍率にできる新規な変倍照準望遠鏡を提供するものである。
【課題を解決するための手段】
【００１１】
そのために、本発明変倍照準望遠鏡は、鏡筒本体内に正立内筒を設け、この正立内筒に形成した光軸に平行する直線長孔に移動ビスの案内によって直線的に前後移動する変倍正立レンズ系を設け、正立内筒の外側に正立内筒に対して回動する変倍カム筒を設け、この変倍カム筒に上記直線長孔に対して交叉する方向の斜めカム長孔を設け、この斜めカム長孔内に上記移動ビスを挿入し、照準望遠鏡内に組み込んだ巻バネの弾力により上記変倍カム筒を回動し、斜めカム長孔の移動ビスに対する作用により変倍正立レンズ系を低倍率の前位置から高倍率の後位置まで直線的に移動するようにしたことを特徴とするものである。
【００１２】
また、本発明変倍照準望遠鏡は、鏡筒本体に接眼ツナギ部材を固設し、この接眼ツナギ部材の外側に変倍リングを回動可能に設け、この変倍リングと接眼ツナギ部材との間に巻バネを設け、接眼ツナギ部材に変倍カム筒の回動範囲を決定する長孔を形成し、変倍リングに内向きの変倍ビスを設け、この変倍ビスを該長孔を貫通させて変倍ビスの先端を変倍カム筒に形成した係合孔に係合し、巻バネの弾力により変倍リングを上記変倍ビスが長孔内で移動する範囲内で回動することを特徴とするものである。
【００１３】
さらに、本発明変倍照準望遠鏡は、上記接眼ツナギ部材にバネ弾力により突出性向を付与した変倍ピンを設ける一方、変倍リングに該変倍ピンを受け入れる係合受けを設け、変倍ボタンの押し作用により変倍ピンと係合受けとの係合を解除し、変倍リングの回動を起動するようにしたことを特徴とするものである。
【００１４】
また、本発明変倍照準望遠鏡は、上記低倍率が１．０倍であり、高倍率が１０倍であることを特徴とするものである。
【発明の効果】
【００１５】
本発明の変倍照準望遠鏡は、鏡筒本体内に正立内筒を設け、この正立内筒に形成した光軸に平行する直線長孔に移動ビスの案内によって直線的に前後移動する変倍正立レンズ系を設け、正立内筒の外側に正立内筒に対して回動する変倍カム筒を設け、この変倍カム筒に上記直線長孔に対して交叉する方向の斜めカム長孔を設け、この斜めカム長孔内に上記移動ビスを挿入し、照準望遠鏡内に組み込んだ巻バネの弾力により上記変倍カム筒を回動し、斜めカム長孔の移動ビスに対する作用により変倍正立レンズ系を低倍率の前位置から高倍率の後位置まで直線的に移動するようにしたことを特徴とするから、レンズ系の外に駆動手段を設けることなく、限られた大きさの照準望遠鏡であっても、低倍率から高い高倍率にまで変倍できる変倍照準望遠鏡を得ることができる効果を有する。
【図面の簡単な説明】
【００１６】
【図１】本発明変倍照準望遠鏡の全体図で、要部を断面で示してある。
【図２】本発明変倍照準望遠鏡の変倍部分の詳細を示す断面図である。
【図３】本発明変倍照準望遠鏡の変倍リング部分の拡大断面図で、低倍率の位置を示してある。
【図４】同じく変倍リング部分の拡大断面図で、高倍率に変倍するために変倍ボタンを押した状態を示してある。
【図５】同じく変倍リング部分の拡大断面図で、高倍率の位置を示してある。
【図６】正立内筒と変倍カム筒との関係を示す図で、低倍率位置を示してある。
【図７】同じく正立内筒と変倍カム筒との関係を示す図で、高倍率位置を示してある。
【発明を実施するための最良の形態】
【００１７】
以下、図面に示した実施例により本発明の詳細を説明する。
【００１８】
図中符号１が照準望遠鏡の鏡筒本体で、その前端に対物レンズ系２とその後端に接眼レンズ系３を設けてある。この鏡筒本体１の中間内部には、その中を変倍正立レンズ系４が前後に移動可能に設けた正立内筒５を固定して設けてある。この正立内筒５は鏡筒本体１の接眼レンズ系側で固設されている。変倍正立レンズ系４は変倍正立レンズ枠６内に組み込まれており、この変倍正立レンズ枠６が正立内筒５内で前後に移動可能にしてある。
【００１９】
上記正立内筒５には光軸に平行する直線長孔７を設けてあり、この直線長孔７内に変倍正立レンズ枠６に突設した移動ビス８を挿入させてある。即ちこの移動ビス８が直線長孔７内に直線的に案内されて変倍正立レンズ系４を正立内筒５内で前後に直線的に移動するようにしてある。
【００２０】
正立内筒５の外側に固定された正立内筒５に対して回動する変倍カム筒９を被せて設けてあり、この変倍カム筒９に正立内筒５の直線長孔７に対して交叉する方向の斜めカム長孔１０を設けてあり、この斜めカム長孔１０に上記移動ビス８を挿入させてある。即ち、変倍カム筒９が正立内筒９に対して回動することにより移動ビス８のカム作用によりこの移動ビス８を正立内筒５の直線長孔７に沿って後方に直線移動し変倍正立レンズ系４を後方に直線移動する。変倍カム筒９の後端にはカム補強環１１が被せて設けてある。
【００２１】
鏡筒本体１の後端には接眼ツナギ部材１２が固設してあり、この接眼ツナギ部材１２の外側に変倍リング１３を接眼ツナギ部材１２に対して回動可能に被せて設けてある。この変倍リング１３と接眼ツナギ部材１２との間に、変倍カム筒９に対する回動力を付与する巻バネ１４を掛け渡して設けてある。即ち、巻バネ１４は照準望遠鏡内に組み込まれており、その一端を変倍リング１３に連結固定し、その他端を接眼ツナギ部材１２に連結固定してある。
【００２２】
図２乃至図５に図示される通り、接眼ツナギ部材１２には上部を開放した円筒状のピン座１５がネジ込み固定してあり、このピン座１５内にスプリング１６の弾力によって突出性向を付与された変倍ピン１７が設けてあり、この変倍ピン１７が接眼ツナギ部材１２の表面より僅かに突出するようにしてある。
【００２３】
一方、変倍リング１３には、上記変倍ピン１７に対応して変倍ボタン１８を設けてあるが、この変倍ボタン１８は、変倍リング１３にネジ込み固定したボタン座１９内に上下動可能にしてあり、この変倍ボタン１８を押し込むことにより変倍ピン１７を押し込むようにしてある。
【００２４】
即ち、変倍ピン１７はその突出状態でボタン座１９内に入り込み係合状態を保つようにしてある。
【００２５】
変倍リング１３には図４上矢印方向に回動する方向の弾性力が巻バネ１４により付与されており、この回動力により変倍カム筒９を回動するようにしてある。しかし、変倍ピン１７とボタン座１９との係合により変倍リング１３及び変倍カム筒９の回動を阻止し、変倍正立レンズ系３をその前端の位置に保持している。
【００２６】
変倍リング１３の変倍ボタン１８と反対側の位置に変倍ビス２０を内向きにネジ込み固定してあり、接眼ツナギ部材１２に変倍カム筒９の回動範囲を決定する長孔２１を設けてあり、上記変倍ビス２０をこの長孔２１に貫通させ、さらに変倍ビス２０の先端をカム補強環１１及び変倍カム筒９に形成した係止孔に係止させてあり、変倍リング１３の回動力を変倍ビス２０を介して変倍カム筒９に伝達するようにしてある。
【００２７】
図１乃至図４及び図６の状態は変倍正立レンズ系４が正立内筒５の前端位置にあり、低倍率の広い視野にある。図示した実施例ではその低倍率を１．２５倍にしてある。
【００２８】
この状態から変倍ボタン１８を押すと変倍ピン１７がスプリング１６の弾力に抗して押し下げられ、ボタン座１９との係合が解かれる。そこで巻バネ１４の弾力を受けている変倍リング１３が図４の矢印方向に回動される。この変倍リング１３の回動に伴い変倍リング１３にネジ込まれた変倍ビス２０が接眼ツナギ部材１２の長孔２１に沿って移動し、変倍ビス２０の先端と係止孔２２で係合している変倍カム筒９が同方向に回動する。
【００２９】
この変倍カム筒９の回動によって、この変倍カム筒９に設けた斜めカム筒１０のカム作用が移動ビス８に働き、この移動ビス８を正立内筒５の直線長孔７に沿って後方に直線移動する。この移動ビス８の移動に伴って変倍正立レンズ系４が正立内筒５内を後方に移動し図５及び図７の状態となる。即ち、変倍正立レンズ系が図１及び図２の点線で示した後方位置に達し、高い高倍率の視野になる。本発明の実施例では、この高倍率を１０倍にしたが、変倍正立レンズ系の設計では、例えば８倍、６倍にすることもできる。
【００３０】
この高倍率から低倍率に戻すには、変倍リング１３を図３に示す矢印方向に回動すれば変倍カム筒９の斜めカム長孔１０と正立内筒５の直線長孔７と移動ビス８とのカム作用により、変倍正立レンズ系４を前端の低倍率に戻すことになる。
【符号の説明】
【００３１】
１  鏡筒本体
２  対物レンズ系
３  接眼レンズ系
４  変倍正立レンズ系
５  正立内筒
６  変倍正立レンズ枠
７  直線長孔
８  移動ビス
９  変倍カム筒
１０  斜めカム長孔
１１  カム補強環
１２  接眼ツナギ部材
１３  変倍リング  
１４  巻バネ
１５  ピン座
１６  スプリング
１７  変倍ピン
１８  変倍ボタン
１９  ボタン座
２０  変倍ビス
２１  長孔
２２  係止孔                  
【図１】
2012203155.tif 000003
【図２】
2012203155.tif 000004
【図３】
2012203155.tif 000005
【図４】
2012203155.tif 000006
【図５】
2012203155.tif 000007
【図６】
2012203155.tif 000008
【図７】
2012203155.tif 000009